【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
マルチ無線アクセス技術（マルチＲＡＴ）の１次同期信号（ＰＳＳ）を復号することと、前記マルチＲＡＴ  ＰＳＳは複数の無線アクセス技術（ＲＡＴ）の間で共通であり、
前記復号されたマルチＲＡＴ  ＰＳＳに少なくとも部分的に基づいて、２次同期信号（ＳＳＳ）を復号することと、および
前記復号されたＳＳＳに少なくとも部分的に基づいて、前記マルチＲＡＴ  ＰＳＳと前記ＳＳＳとに関連するＲＡＴを特定することと
を備える方法。
【請求項２】
前記ＲＡＴを特定することは、
前記ＳＳＳ中に含まれるＲＡＴシーケンス番号を特定すること、前記ＲＡＴシーケンス番号は前記ＲＡＴの識別子を備える、
を備える、請求項１に記載の方法。
【請求項３】
前記ＲＡＴシーケンス番号は、前記特定されたＲＡＴに関連する変調方式を備える、請求項２に記載の方法。
【請求項４】
前記ＲＡＴを特定することは、
前記復号されたＳＳＳに関連する周期性を決定することと、および
前記周期性に少なくとも部分的に基づいて前記ＲＡＴを特定することと
を備える、請求項１に記載の方法。
【請求項５】
前記ＲＡＴを特定することは、
前記マルチＲＡＴ  ＰＳＳに関連する周期性を決定することと、および
前記周期性に少なくとも部分的に基づいて前記ＲＡＴを特定することと
を備える、請求項１に記載の方法。
【請求項６】
前記ＲＡＴを特定することは、
前記復号されたＳＳＳのフォーマットを決定することと、および
前記復号されたＳＳＳの前記フォーマットに少なくとも部分的に基づいて前記ＲＡＴを特定することと
を備える、請求項１に記載の方法。
【請求項７】
前記特定されたＲＡＴの１つまたは複数のチャネル上でワイヤレス通信を実行することをさらに備える、請求項１に記載の方法。
【請求項８】
前記特定されたＲＡＴは、モバイル用グローバルシステム（ＧＳＭ）ＲＡＴ、またはユニバーサルモバイルテレコミュニケーションズサービス（ＵＭＴＳ）ＲＡＴ、またはロングタームエボリューション（ＬＴＥ）ＲＡＴ、またはそれらの組合せのうちの少なくとも１つを備える、請求項１に記載の方法。
【請求項９】
前記マルチＲＡＴ  ＰＳＳは、前記特定されたＲＡＴに関連する、タイミングコンポーネントと周波数コンポーネントとを備える、請求項１に記載の方法。
【請求項１０】
前記複数のＲＡＴのうちの少なくとも２つのＲＡＴは同じ物理レイヤモードを利用し、ここにおいて、前記少なくとも２つのＲＡＴの各々は異なる物理レイヤパラメータを利用する、請求項１に記載の方法。
【請求項１１】
前記少なくとも２つのＲＡＴは同じＲＡＴである、請求項１０に記載の方法。
【請求項１２】
前記複数のＲＡＴのうちの少なくとも２つのＲＡＴは、ダウンリンク通信に関する直交周波数分割多元接続（ＯＦＤＭＡ）技法を利用し、ここにおいて、前記少なくとも２つのＲＡＴの各々は、異なるトーン間隔パラメータと異なるサイクリックプレフィックス長とを利用する、および
ＲＡＴまたは動作モードを示すために、ＰＳＳＳに関してＳＳＳの周期性を使用すること、
請求項１に記載の方法。
【請求項１３】
前記少なくとも２つのＲＡＴは異なるＲＡＴである、請求項１２に記載の方法。
【請求項１４】
ワイヤレス通信のための装置であって、先行する請求項のうちのいずれか一項のステップを実行するように構成される手段を備える、装置。
【請求項１５】
ワイヤレス通信のためのコンピュータ実行可能なコードを記憶する非一時的コンピュータ可読媒体であって、前記コードが、請求項１〜請求項１３のうちのいずれか一項のステップを実行するように構成される、非一時的コンピュータ可読媒体。
【手続補正２】
【補正対象書類名】明細書
【補正対象項目名】００９０
【補正方法】変更
【補正の内容】
【００９０】
[0098]本開示の前の記述は、当業者が本開示を作成または使用することができるように与えられる。本開示への様々な修正は当業者には容易に明らかとなり、および本明細書で定義された一般原理は、本開示の範囲から逸脱することなく他の変形形態に適用され得る。したがって、本開示は、本明細書で記述される例および設計に限定されるべきでなく、しかしながら、本明細書で開示される原理および新規の特徴に合致する最も広い範囲を与えられるべきである。
以下に本願の出願当初の特許請求の範囲に記載された発明を付記する。
[Ｃ１]  ワイヤレス通信のための方法であって、
マルチ無線アクセス技術（マルチＲＡＴ）の１次同期信号（ＰＳＳ）を復号することと、前記マルチＲＡＴ  ＰＳＳは複数の無線アクセス技術（ＲＡＴ）の間で共通であり、
前記復号されたマルチＲＡＴ  ＰＳＳに少なくとも部分的に基づいて、２次同期信号（ＳＳＳ）を復号することと、および
前記復号されたＳＳＳに少なくとも部分的に基づいて、前記マルチＲＡＴ  ＰＳＳと前記ＳＳＳとに関連するＲＡＴを特定することと
を備える方法。
[Ｃ２]  前記ＲＡＴを特定することは、
前記ＳＳＳ中に含まれるＲＡＴシーケンス番号を特定すること、前記ＲＡＴシーケンス番号は前記ＲＡＴの識別子を備える、
を備える、Ｃ１に記載の方法。
[Ｃ３]  前記ＲＡＴシーケンス番号は、前記特定されたＲＡＴに関連する変調方式を備える、Ｃ２に記載の方法。
[Ｃ４]  前記ＲＡＴを特定することは、
前記復号されたＳＳＳに関連する周期性を決定することと、および
前記周期性に少なくとも部分的に基づいて前記ＲＡＴを特定することと
を備える、Ｃ１に記載の方法。
[Ｃ５]  前記ＲＡＴを特定することは、
前記マルチＲＡＴ  ＰＳＳに関連する周期性を決定することと、および
前記周期性に少なくとも部分的に基づいて前記ＲＡＴを特定することと
を備える、Ｃ１に記載の方法。
[Ｃ６]  前記ＲＡＴを特定することは、
前記復号されたＳＳＳのフォーマットを決定することと、および
前記復号されたＳＳＳの前記フォーマットに少なくとも部分的に基づいて前記ＲＡＴを特定することと
を備える、Ｃ１に記載の方法。
[Ｃ７]  前記特定されたＲＡＴの１つまたは複数のチャネル上でワイヤレス通信を実行することをさらに備える、Ｃ１に記載の方法。
[Ｃ８]  前記特定されたＲＡＴは、モバイル用グローバルシステム（ＧＳＭ）ＲＡＴ、またはユニバーサルモバイルテレコミュニケーションズサービス（ＵＭＴＳ）ＲＡＴ、またはロングタームエボリューション（ＬＴＥ）ＲＡＴ、またはそれらの組合せのうちの少なくとも１つを備える、Ｃ１に記載の方法。
[Ｃ９]  前記マルチＲＡＴ  ＰＳＳは、前記特定されたＲＡＴに関連する、タイミングコンポーネントと周波数コンポーネントとを備える、Ｃ１に記載の方法。
[Ｃ１０]  前記複数のＲＡＴのうちの少なくとも２つのＲＡＴは同じ物理レイヤモードを利用し、ここにおいて、前記少なくとも２つのＲＡＴの各々は異なる物理レイヤパラメータを利用する、Ｃ１に記載の方法。
[Ｃ１１]  前記少なくとも２つのＲＡＴは同じＲＡＴである、Ｃ１０に記載の方法。
[Ｃ１２]  前記複数のＲＡＴのうちの少なくとも２つのＲＡＴは、ダウンリンク通信に関する直交周波数分割多元接続（ＯＦＤＭＡ）技法を利用し、ここにおいて、前記少なくとも２つのＲＡＴの各々は、異なるトーン間隔パラメータと異なるサイクリックプレフィックス長とを利用する、および
ＲＡＴまたは動作モードを示すために、ＰＳＳＳに関してＳＳＳの周期性を使用すること、
Ｃ１に記載の方法。
[Ｃ１３]  前記少なくとも２つのＲＡＴは異なるＲＡＴである、Ｃ１２に記載の方法。
[Ｃ１４]  ワイヤレス通信のための装置であって、
マルチ無線アクセス技術（マルチＲＡＴ）の１次同期信号（ＰＳＳ）を復号するための手段と、前記マルチＲＡＴ  ＰＳＳは複数の無線アクセス技術（ＲＡＴ）の間で共通であり、
前記復号されたマルチＲＡＴ  ＰＳＳに少なくとも部分的に基づいて、２次同期信号（ＳＳＳ）を復号するための手段と、および
前記復号されたＳＳＳに少なくとも部分的に基づいて、前記マルチＲＡＴ  ＰＳＳと前記ＳＳＳとに関連するＲＡＴを特定するための手段と
を備える装置。
[Ｃ１５]  前記ＲＡＴを特定するための前記手段は、
前記ＳＳＳ中に含まれるＲＡＴシーケンス番号を特定するための手段、前記ＲＡＴシーケンス番号は前記ＲＡＴの識別子を備える、
をさらに備える、Ｃ１４に記載の装置。
[Ｃ１６]  前記ＲＡＴシーケンス番号は、前記特定されたＲＡＴに関連する変調方式を備える、Ｃ１５に記載の装置。
[Ｃ１７]  前記復号されたＳＳＳに関連する周期性を決定するための手段と、および
前記周期性に少なくとも部分的に基づいて前記ＲＡＴを特定するための手段と
をさらに備える、Ｃ１４に記載の装置。
[Ｃ１８]  前記ＲＡＴを特定するための前記手段は、
前記マルチＲＡＴ  ＰＳＳに関連する周期性を決定するための手段と、および
前記周期性に少なくとも部分的に基づいて前記ＲＡＴを特定するための手段と
をさらに備える、Ｃ１４に記載の装置。
[Ｃ１９]  前記ＲＡＴを特定するための前記手段は、
前記復号されたＳＳＳのフォーマットを決定するための手段と、および
前記復号されたＳＳＳの前記フォーマットに少なくとも部分的に基づいて前記ＲＡＴを特定するための手段と
をさらに備える、Ｃ１４に記載の装置。
[Ｃ２０]  前記特定されたＲＡＴの１つまたは複数のチャネル上でワイヤレス通信を実行するための手段
をさらに備える、Ｃ１４に記載の装置。
[Ｃ２１]  前記特定されたＲＡＴは、モバイル用グローバルシステム（ＧＳＭ）ＲＡＴ、またはユニバーサルモバイルテレコミュニケーションズサービス（ＵＭＴＳ）ＲＡＴ、またはロングタームエボリューション（ＬＴＥ）ＲＡＴ、またはそれらの組合せのうちの少なくとも１つを備える、Ｃ１４に記載の装置。
[Ｃ２２]  前記マルチＲＡＴ  ＰＳＳは、前記特定されたＲＡＴに関連する、タイミングコンポーネントと周波数コンポーネントとを備える、Ｃ１４に記載の装置。
[Ｃ２３]  前記複数のＲＡＴのうちの少なくとも２つのＲＡＴは同じ物理レイヤモードを利用し、ここにおいて、前記少なくとも２つのＲＡＴの各々は異なる物理レイヤパラメータを利用する、Ｃ１４に記載の装置。
[Ｃ２４]  前記少なくとも２つのＲＡＴは同じＲＡＴである、Ｃ２３に記載の装置。
[Ｃ２５]  前記複数のＲＡＴのうちの少なくとも２つのＲＡＴは、ダウンリンク通信に関する直交周波数分割多元接続（ＯＦＤＭＡ）技法を利用し、ここにおいて、前記少なくとも２つのＲＡＴの各々は、異なるトーン間隔パラメータと異なるサイクリックプレフィックス長とを利用する、Ｃ１４に記載の装置。
[Ｃ２６]  前記少なくとも２つのＲＡＴは異なるＲＡＴである、Ｃ２５に記載の装置。
[Ｃ２７]  ワイヤレス通信のための装置であって、
プロセッサと、
前記プロセッサと電子通信状態にあるメモリと、および
前記メモリに記憶された命令と、
前記命令は、
マルチ無線アクセス技術（マルチＲＡＴ）の１次同期信号（ＰＳＳ）を復号することと、前記マルチＲＡＴ  ＰＳＳは複数の無線アクセス技術（ＲＡＴ）の間で共通であり、  前記復号されたマルチＲＡＴ  ＰＳＳに少なくとも部分的に基づいて、２次同期信号（ＳＳＳ）を復号することと、および
前記復号されたＳＳＳに少なくとも部分的に基づいて、前記マルチＲＡＴ  ＰＳＳと前記ＳＳＳとに関連するＲＡＴを特定することと
を行うために前記プロセッサによって実行可能である、
を備える装置。
[Ｃ２８]  前記ＲＡＴを特定するための前記命令はさらに、
前記ＳＳＳ中に含まれるＲＡＴシーケンス番号を特定すること、前記ＲＡＴシーケンス番号は前記ＲＡＴの識別子を備える、
を行うために前記プロセッサによって実行可能である、Ｃ２７に記載の装置。
[Ｃ２９]  前記ＲＡＴシーケンス番号は、前記特定されたＲＡＴに関連する変調方式を備える、Ｃ２８に記載の装置。
[Ｃ３０]  ワイヤレス通信のためのコンピュータ実行可能なコードを記憶する非一時的コンピュータ可読媒体であって、前記コードは、
マルチ無線アクセス技術（マルチＲＡＴ）の１次同期信号（ＰＳＳ）を復号することと、前記マルチＲＡＴ  ＰＳＳは複数の無線アクセス技術（ＲＡＴ）の間で共通であり、  前記復号されたマルチＲＡＴ  ＰＳＳに少なくとも部分的に基づいて、２次同期信号（ＳＳＳ）を復号することと、および
前記復号されたＳＳＳに少なくとも部分的に基づいて、前記マルチＲＡＴ  ＰＳＳと前記ＳＳＳとに関連するＲＡＴを特定することと
を行うためにプロセッサによって実行可能である、
非一時的コンピュータ可読媒体。